(57)【要約】 【課題】  複数の長尺材で組合わされたすのこ体をスプレー塗装する際に塗料が均一に塗布できるすのこ体の構造を提供することを目的とする。 【解決手段】本発明のすのこ体５は、複数の木質の長尺材１からなる表面板部３及び複数の木質の長尺材２からなる根太板部４が交差部１１において略９０度の角度で交差して固着される。前記表面板部３の長尺材１は台形断面形状である。台形の側辺（側面）１６は、Ｒ＝（上辺１０と下辺６の長さの差）／２＝１ｍｍ〜１、５ｍｍからなる傾斜面である。根太板部４の長尺材２は上面１２を円弧状の凸部１３とする略矩形断面形状であり、前記表面板部３の台形断面形状の長尺材１は前記交差部１１において前記表面板部３の長尺材１の下面６に溝状（円弧状）の凹部１４を備えており、前記凸部１３と前記凹部１４が隙間無く嵌合するように形成される。【選択図】  図１
2006325731.tif 000002
【特許請求の範囲】
【請求項１】
複数の長尺材からなる表面板部及び根太板部が交差して固着されるすのこ体であって、
前記表面板部の長尺材は台形断面形状であることを特徴とするすのこ体。
【請求項２】
請求項１に記載のすのこ体であって、
前記根太板部の長尺材は上面を凸部とする略矩形断面形状であり、前記表面板部の長尺材は前記根太板部の長尺材との交差部において前記表面板部の長尺材の下面に溝状の凹部を備え、前記凸部と前記凹部が隙間無く嵌合するように形成されることを特徴とするすのこ体。
【請求項３】
請求項１に記載のすのこ体であって、
前記根太板部の長尺材は上面を凸部とする略矩形断面形状で、前記表面板部の長尺材との交差部において前記凸部が切削されてなる溝状の凹部を備え、前記凹部は前記表面板部の長尺材の下部と隙間無く嵌合するように形成されることを特徴とするすのこ体。
【発明の詳細な説明】
【技術分野】
【０００１】
本発明は、浴室の洗い場等に設置される複数の長尺材からなるすのこ体に関し、詳しくは、すのこ体の効率の良い表面塗装の技術に関する。
【背景技術】
【０００２】
従来、浴室は浴槽と洗い場からなり、洗い場には人の垢や毛髪、ゴミ等が発生するため、使用者が衛生的に使用できるように洗い場の床上にはすのこが置かれる。
【０００３】
この場合、すのこ体の材料としてはプラスチックや長尺材等が用いられるが、一般的に、表面が滑らない、見た目にひんやり感がなく温か味を感じる、足等に触れる際に肌触りがよい等の理由から木質の長尺材が多用されている。
【０００４】
そして、耐汚染性、耐水性、対候性等を向上し、着色によって豊富なカラーバリエーションを揃える目的から表面に塗装が行われる。
【０００５】
なお、大量生産においては、すのこ体は立体形状なので塗装効率の悪い刷毛塗りは用いられずスプレー式か浸漬式によって行われる。
【０００６】
ところが、浸漬式を用いる場合には木材の吸い込みにより塗料を均一に塗装することができないため色ムラが発生し、均一な着色が困難であるという品質上の問題があった。また、塗装溜りの拭き取りが必要になるので作業性が悪いとともにコスト高であった。このため、立体形状の木質すのこ体に対してスプレー式が多用される。
【０００７】
例えば特許文献１にすのこ体５の構造が開示されている。図７（ａ）、（ｂ）、（ｃ）に示すように特許文献１によれば、複数の長尺材１、２からなる表面板部３及び根太板部４が上下に略角度９０度交差して形成され、それぞれの長尺材１、２は矩形断面形状である。
【０００８】
なお、長尺材１、２の交差部においては、組合せやすいように長尺材２の下面６には長尺材１と嵌合する凹溝７が形成されている。
【特許文献１】特開２００３−１１６７２７号公報
【発明の開示】
【発明が解決しようとする課題】
【０００９】
しかしながら、従来のすのこ体５の構造であれば、図８に示すように表面板部３及び根太板部４が上下に交差して組合わされた状態でスプレー塗装すると、塗料Ｑが長尺材２の上面８で跳ね返るので表面板部３間の隙間部分において長尺材１の側面９や長尺材２の上面８に塗料がのりにくいという問題があった。  
このため、塗料Ｑの色ムラにより外観が悪くなり品質が劣るという問題があった。
【００１０】
この問題を解決するために、表面板部３及び根太板部４を別々に塗装した後で組合す方法が考えられるが、部材毎の塗装では作業性が著しく低下し使用塗料量の歩留まりも低下し、且つ、各部材を組み合わせるときのプレス工程の圧締により部材表面にキズが発生することがあり補修困難になるという問題があった。  
また、木質材の長尺材の場合には予め表面塗装があると、組み合わせ時に接着剤の浸透性が阻害されるので使用する接着剤の種類が限定されるという問題があった。
【００１１】
そこで、本発明は、上記従来の問題点を解消して、複数の長尺材で組合わされたすのこ体をスプレー塗装する際に塗料が均一に塗布できるすのこ体の構造を提供することを目的とする。
【課題を解決するための手段】
【００１２】
請求項１の発明は、複数の長尺材からなる表面板部及び根太板部が交差して固着されるすのこ体であって、前記表面板部の長尺材は台形断面形状であることを特徴としている。
【００１３】
このすのこ体であれば、前記表面板部の長尺材の断面が台形形状なので、台形形状の側面には裾拡がりの傾斜が形成される。
【００１４】
請求項２の発明は、前記根太板部の長尺材は上面を凸部とする略矩形断面形状であり、前記表面板部の長尺材は前記根太板部の長尺材との交差部において前記表面板部の長尺材の下面に溝状の凹部を備え、前記凸部と前記凹部が隙間無く嵌合するように形成されることを特徴としている。
【００１５】
このすのこ体であれば、前記根太板部の長尺材は上面を凸部とする略矩形断面形状なので、前記根太板部の長尺材の上面から側面に亘って傾斜が形成されている。また、前記表面板部の長尺材の断面が台形形状なので、台形形状の側面には裾拡がりの傾斜が形成されている。
【００１６】
請求項３の発明は、前記根太板部の長尺材は上面を凸部とする略矩形断面形状で、前記表面板部の長尺材との交差部において前記凸部が切削されてなる溝状の凹部を備え、前記凹部は前記表面板部の長尺材の下部と隙間無く嵌合するように形成されることを特徴としている。
【００１７】
このすのこ体であれば、前記根太板部の長尺材は上面を凸部とする略矩形断面形状なので、前記根太板部の長尺材の上面から側面に亘って傾斜が形成されている。また、前記表面板部の長尺材の断面が台形形状なので、台形形状の側面には裾拡がりの傾斜が形成されている。
【発明の効果】
【００１８】
請求項１記載の発明によれば、前記表面板部の長尺材の断面が台形形状で台形形状の側面には裾拡がりの傾斜が形成されているので、スプレー塗装する際に塗料が傾斜に沿って自然に流れるので塗料が側面に均一に塗布できる。
【００１９】
請求項２記載の発明によれば、前記根太板部の長尺材は上面を凸部とする略矩形断面形状なので、前記根太板部の長尺材の上面から側面に亘って傾斜が形成されているので、スプレーされた塗料の流れを傾斜に沿ってスムーズに分流することができて、すのこ体の内部まで塗料を容易に回り込み塗布することができる。
【００２０】
また、前記表面板部の長尺材の断面が台形形状なので、台形形状の側面には裾拡がりの傾斜が形成されているので、塗料が傾斜に沿って自然に流れるので塗料が均一に塗布できる。
【００２１】
請求項３記載の発明によれば、前記根太板部の長尺材は上面を凸部とする略矩形断面形状なので、前記根太板部の長尺材の上面から側面に亘って傾斜が形成されている。また、前記表面板部の長尺材の断面が台形形状なので、台形形状の側面には裾拡がりの傾斜が形成されている。
【００２２】
このため、請求項２記載の効果と同様の効果が得られる。
【発明を実施するための最良の形態】
【００２３】
以下に、本発明の第１の実施形態を図１、図２に基づいて説明する。なお、図７、図８に示した構成と同等部分には適宜に同一符号を付して説明する。
【００２４】
＜すのこ体の構成＞
図１、図２（ａ）、（ｂ）、（ｃ）に示すように、本発明のすのこ体５は、複数の木質の長尺材１からなる表面板部３及び複数の木質の長尺材２からなる根太板部４が交差部１１において略９０度の角度で交差して固着される。
【００２５】
前記表面板部３の長尺材１の形状は、長さＬ＝９００ｍｍ、台形断面形状は下辺６の幅Ｗ＝１００ｍｍ、高さＨ＝１５ｍｍ、側辺（側面）１６はＲ＝（上辺１０と下辺（下面）６との長さの差）／２＝１ｍｍ〜１、５ｍｍの傾斜面に形成される。各長尺材１は間隔Ｋ＝５〜７ｍｍで配置される。
【００２６】
根太板部４の長尺材２は高さＳ＝略５０ｍｍ、幅Ｔ＝略３０ｍｍの矩形断面の上面１２に円弧状の凸部１３を有する略矩形断面形状である。
【００２７】
前記表面板部３の台形断面形状の長尺材１は前記交差部１１において前記表面板部３の長尺材１の下面６に溝状（円弧状）の凹部１４を備えており、前記凸部１３と前記凹部１４が隙間無く嵌合するように形成される。
【００２８】
ここで、長尺材２の側面２ａと円弧状の凸部１３の境界線領域１３ａは僅かな曲面で形成されるので、円弧状の凸部１３表面は側面２ａに亘って接線状になだらかに繋がっている。
【００２９】
表面板部３と根太板部４は、ウレタン系や変性酢酸ビニル系の接着剤が用いられるとともにプレス機で圧締めして固着される。
【００３０】
なお、木質材としての長尺材１、２は、例えば天然系素材としての桧、ヒバ、等が使用されるが、適当な樹木の表面に天然系素材の薄板を貼り合わせた合板等も使用される。
【００３１】
＜すのこ体の作用＞
図３に示すように、組合わされた状態のすのこ体５が塗装台の上に置かれて、スプレーによりウレタン系等の塗料Ｑが塗布されると、スプレー状の塗料Ｑは根太板部４の長尺材２の上面１２の凸部１３に沿ってスムーズに流れ、長尺材２の両側面１７に亘って層流状態に分流されて廻り込むことができる。
【００３２】
このため、交差部１１において、根太板部４の上面１２から側面１７に亘って塗料Ｑがのりやすくなり塗料Ｑをスムーズに自然に塗布することができる。
【００３３】
また、交差部１１において、表面板部３の長尺材１の側面１６は傾斜しているので、この傾斜に沿ってスプレー状の塗料Ｑは層流状態に流れるので塗料Ｑをスムーズに自然に塗布することができる。長尺材１に覆われた長尺材２の両側面１７まで塗料Ｑは十分行き渡る事ができる。
【００３４】
さらに、凸部１３と側面１６の傾斜により、塗装後のすのこ体５全体に水が溜りにくいのでカビ等の発生が抑制できるとともに、掃除時に表面のふき取りが容易にできるので衛生性が向上する。
【００３５】
なお、塗装台の上に接している根太板部４の長尺材２の裏面の塗装においては特に必要とされていない。
【００３６】
＜本発明の第２の実施形態＞
図４（ａ）、（ｂ）、図５（ａ）、（ｂ）に示すように、前記表面板部３の木質の長尺材２は台形断面形状に形成され、台形断面形状の側辺（側面）１６の傾斜は図２（ｂ）で説明したように、Ｒ＝（上辺１０と下辺６の長さの差）／２＝１ｍｍ〜１、５ｍｍからなる傾斜面である。
【００３７】
前記根太板部４の木質の長尺材２は略矩形断面形状で、前記表面板部３の長尺材１との交差部１１における上面１２の領域には４箇所の円弧状の凸部１３に囲まれて凹部１２ａが形成される。
【００３８】
そして、前記凹部１２ａは前記表面板部３の長尺材１の下面６と側面１６に隙間無く嵌合される。なお、前記根太板部４の長尺材２の両端部における前記凹部１２ａは、１組の前記凸部１３によって形成される凹部１２ａである。
【００３９】
本発明の第２の実施形態によれば、すのこ体５が組合わされた状態においては上記第１の実施形態と同様の外見形状である。このため、上記第１の実施形態と同じ作用及び効果が得られる。
【００４０】
＜本発明の第３の実施形態＞
図６（ａ）、（ｂ）に示すように、前記表面板部３の長尺材１は台形断面形状であり、根太板部４の長尺材２は上面１２の凸部１９が三角屋根形状である。  
前記表面板部３の台形断面形状の長尺材１は前記交差部１１において前記表面板部３の長尺材１の下面６に三角溝状の凹部２０を備え、前記凸部１９と前記凹部２０が隙間無く嵌合するように形成される。
【００４１】
このため、根太板部４の長尺材２の上面１２の凸部１９が三角屋根形状の傾斜を持っているので、上記本発明の第１の実施形態と同様の作用及び効果が得られる。
【００４２】
以上、本発明の実施形態を図面に基づいて説明したが、上記の実施例はいずれも本発明の一例を示したものであり、本発明はこれらに限定されるべきでないということはいうまでもない。
【００４３】
さらに、すのこ体５は庭等で使用されるウッドデッキとしても用いることができる。
【図面の簡単な説明】
【００４４】
【図１】本発明の第１の実施形態における、すのこ体の斜視図である。
【図２】本発明の第１の実施形態における、（ａ）は表面板部３の長尺材１の斜視図、（ｂ）は図２（ａ）のＢ−Ｂ断面図、（ｃ）は根太板部４の長尺材２の斜視図である。
【図３】本発明の第１の実施形態における、図１のＣ−Ｃ透視断面図で長尺材１と長尺材２の交差部１１におけるスプレーによる塗料Ｑの流れの状態を示す図である。
【図４】本発明の第２の実施形態における、（ａ）は、すのこ体の斜視図、（ｂ）は表面板部３の長尺材１の斜視図である。
【図５】本発明の第２の実施形態における、（ａ）は、図４（ｂ）のＤ−Ｄ矢視図、（ｂ）は、根太板部４の長尺材２の斜視図、（ｃ）は図４（ａ）のＥ−Ｅ矢視図である。
【図６】本発明の第３の実施形態における、（ａ）は表面板部３の長尺材１の斜視図、（ｂ）は根太板部４の長尺材２の斜視図である。
【図７】従来例における、（ａ）はすのこ体の斜視図、ｂ）は表面板部３の長尺材１の斜視図、（ｃ）は根太板部４の長尺材２の斜視図である。
【図８】従来例における、図７のＡ−Ａ透視断面図で長尺材１と長尺材２の交差部１１におけるスプレーによる塗料Ｑの流れの状態を示す図である。
【符号の説明】
【００４５】
１  長尺材
２  長尺材
３  表面板部
４  根太板部
５  すのこ体
６  下辺（下面）
１０  上辺
１１  交差部
１２  上面
１３  凸部
１４  凹部
１６  側辺（側面）
【図１】
2006325731.tif 000003
【図２】
2006325731.tif 000004
【図３】
2006325731.tif 000005
【図４】
2006325731.tif 000006
【図５】
2006325731.tif 000007
【図６】
2006325731.tif 000008
【図７】
2006325731.tif 000009
【図８】
2006325731.tif 000010